(57)【要約】【課題】  広い周波数帯域にわたり優れた音響特性を有する音響設計を容易にし、かつ意匠性も高めて施工することのできる音響面材配置システムを構築して効率よく音響設計を行うことを可能とするとともに、優れた意匠性および汎用性を有し、かつ高い音響効果を確保する。【解決手段】  壁面収納ユニット５は、床からほぼ天井までの高さを有し、収納部５１の前面に、吸音性材料を含んで形成された吸音特性の高い吸音扉５２と、反射性材料を含んで形成された吸音特性の低い反射扉５３とが水平方向に交互に配設されている。これらの吸音扉５２と反射扉５３とは、いずれか一枚ずつ、またはいずれか二枚を一対の扉として組み合わせ、複数対の扉が折戸状に取り付けられている。【選択図】  図４
2007254960.tif 000002
【特許請求の範囲】
【請求項１】
吸音性材料を含んで構成され吸音特性の高い吸音面と、反射性材料を含んで構成され吸音特性の低い反射面とが、居室の壁面に沿って水平方向に交互に配置されていることを特徴とする音響面材配置システム。
【請求項２】
吸音面と反射面とは、それぞれ複数面ずつ配置され、居室の壁面積に対する吸音面の面積の割合が、音の反射傾向を高くする居室には２０〜３０％、吸音傾向を高くする居室には７０〜８０％とされることを特徴とする請求項１に記載の音響面材配置システム。
【請求項３】
吸音面および反射面は、互いに対向する壁面間で吸音面同士または反射面同士が向かい合わないように配置されていることを特徴とする請求項１または請求項２に記載の音響面材配置システム。
【請求項４】
床からほぼ天井までの高さを有し、収納部の前面に、吸音性材料を含んで形成された吸音特性の高い吸音扉と、反射性材料を含んで形成された吸音特性の低い反射扉とが水平方向に交互に配設されたことを特徴とする壁面収納ユニット。
【請求項５】
吸音扉と反射扉のいずれか一枚ずつ、または吸音扉と反射扉のいずれか二枚を一対の扉として組み合わせ、複数対の扉が折戸状に取り付けられていることを特徴とする請求項４に記載の壁面収納ユニット。
【請求項６】
吸音性材料を含んで形成された吸音特性の高い吸音面と、反射性材料を含んで形成された吸音特性の低い反射面とが、それぞれ複数枚ずつ、水平方向に交互に配設されたことを特徴とする間仕切りパネル。
【請求項７】
隣り合う吸音面と反射面とが互いに折曲されて配設されていることを特徴とする請求項６に記載の間仕切りパネル。
【請求項８】
隣り合う吸音面と反射面とが互いに回動可能に連結されており、折畳自在であることを特徴とする請求項６または請求項７に記載の間仕切りパネル。
【発明の詳細な説明】
【技術分野】
【０００１】
本発明は、居室における音響効果を高める音響面材配置システム、壁面収納ユニット、および間仕切りパネルに関する。
【背景技術】
【０００２】
一般に、床面と天井面のように、対向する面が平行かつ反射性を有する空間では、この平行面間で音が多重に反射し、フラッターエコーを起こすことが知られている。このため、空間形状が平面視矩形の場合や、天井面がフラットな場合には、対向面間でのフラッターエコーを生じてしまい、音響環境に悪影響を及ぼす。そこで、このようなフラッターエコーの発生を防止するために、壁面を折壁形状としたり、天井面を床面と平行にならないように傾斜させたりする手法がとられている。
【０００３】
また、近年では、個人住宅等の建物においても、オーディオルームやリスニングルーム、ホームシアター、あるいは楽器の練習室といった音響環境を重視した居室への要求が高まってきており、適切な防音施工を行って音響効果をあげるための音響設計が求められる傾向がある。
【０００４】
このような要求に対し、特に住宅において音響設備を整えた居室を設ける場合には、居室の外へ音が漏れたり、振動を生じたりしないようにする必要があり、また、外部からの騒音を遮断し静かな環境を確保できるように、高い遮音性が求められる。加えて、居室内においては、音が残響したり、反射音を生じたりしないように適切な音響設計をすることが求められている。
【０００５】
しかし、住宅規模では壁面を折壁形状とすると壁厚が大きくなり、居住空間を狭めることから、音響対策としては、平板状の板に多数の吸音用穴を穿設した有孔ボード類を壁面材として使用する例が多かった。例えば、特許文献１には、前面にわたって連続する凹部と凸部とを設けて凹凸状のパネル体を形成し、パネル体の凹部の底に多数の吸音用開口を設けた構成の音響調整パネルについて記載されている。
【特許文献１】特開平５−５１９８１号公報
【発明の開示】
【発明が解決しようとする課題】
【０００６】
しかしながら吸音性を考えると、前記有孔ボード類や凹凸状を有するパネル体等は、その板材の共振点付近の音しか吸音しないという欠点がある。そのほか、繊維質材料や多孔質材料は低音域での吸音性能が十分ではなく、全帯域の吸音材料としては適していないものである。すなわち、効果的に音響設計を図るためには、吸音材だけでなく、音の吸音特性の低い反射材も配置して吸音と反射の割合を調整し、また、低音域まで吸音可能な吸音材と、中高音域を吸音する吸音材とを部分的に設置して、室内全体で音が均一に行きわたるようにすることが必要であった。
【０００７】
ところがこのような吸音と反射との調整は非常に難しいものであって、計算上で高い特性を算出することは可能であるものの、実際には様々な環境条件が重なって部分的にかたよりを生じるなど理想的な拡散音場とはなりにくく、多くの設計時間とコストを要するものとなってしまうという問題点があった。
【０００８】
また、前記ボード類や凹凸状を有するパネル体等を使用した室内は、雰囲気が単調になり、意匠性に欠けるという欠点もあった。
【０００９】
そこで本発明は、上記のような問題点にかんがみてなされたものであり、広い周波数帯域にわたり優れた音響特性を有する音響設計を容易にし、かつ意匠性も高めて施工することのできる音響面材配置システムを構築して効率よく音響設計を行うことを可能とするとともに、優れた意匠性および汎用性を有し、かつ高い音響効果を確保することのできる収納ユニットおよび間仕切りパネルを提供することを目的としている。
【課題を解決するための手段】
【００１０】
上記した目的を達成するため、本発明に係る音響面材配置システムは、吸音性材料を含んで構成され吸音特性の高い吸音面と、反射性材料を含んで構成され吸音特性の低い反射面とが、居室の壁面に沿って水平方向に交互に配置されていることを特徴とする。
【００１１】
良好な音響効果を有する居室には、吸音と反射を調整し、音が均一に行きわたるようにすることが重要になるが、本発明の構成によれば、吸音面と反射面とを交互に配置することで、一定の音響効果を確保しつつ容易に音響設計を行うことが可能になる。
【００１２】
また、前記音響面材配置システムにおいて、特に楽しみたい音域を考慮して、吸音面と反射面とは、それぞれ複数面ずつ配置され、居室の壁面積に対する吸音面の面積の割合が、音の反射傾向を高くする居室には２０〜３０％、吸音傾向を高くする居室には７０〜８０％とされてもよい。
【００１３】
これによると、音の反射傾向を高くした居室では、定在波を無くして、打楽器等の楽器演奏や映画などを、しっかりとした低音域でライブ感を楽しむことができ、音の吸音傾向を高くした居室では生き生きとした音が得られ、弦楽器や木管楽器等の楽器演奏、あるいは声楽など、クラシック系の音の拡がり感や良好な定位感を楽しむのに適した居室とすることができる。
【００１４】
また、前記吸音面および反射面は、互いに対向する壁面間で吸音面同士または反射面同士が向かい合わないように配置されるのが好ましい。
【００１５】
これにより、フラッターエコーなどの音響障害が発生するのを抑えて、良好な音響効果を得ることが可能になる。
【００１６】
また、本発明の壁面収納ユニットにおいては、床からほぼ天井までの高さを有し、収納部の前面に、吸音性材料を含んで形成された吸音特性の高い吸音扉と、反射性材料を含んで形成された吸音特性の低い反射扉とが水平方向に交互に配設されたことを特徴とする。
【００１７】
このような構成により、吸音と反射とを適当なバランスで配置して好ましい音響を実現することが可能になるとともに、収納部が空気層として機能してより一層音響効果を高めることができる。
【００１８】
前記壁面収納ユニットにおいて、吸音扉と反射扉のいずれか一枚ずつ、または吸音扉と反射扉のいずれか二枚を一対の扉として組み合わせ、複数対の扉が折戸状に取り付けられていることが好ましい。
【００１９】
この発明によると、吸音と反射との配置を調整して楽しみたい音域に合わせた音響設計を容易に行うことができ、またフラッターエコーなどの音響障害を防止することにも利用することができる。
【００２０】
また、本発明の間仕切りパネルは、吸音性材料を含んで形成された吸音特性の高い吸音面と、反射性材料を含んで形成された吸音特性の低い反射面とが、それぞれ複数枚ずつ、水平方向に交互に配設されたことを特徴とする。
【００２１】
そして、隣り合う吸音面と反射面とが互いに折曲されて配設されていることが好ましく、また、これらの吸音面と反射面とが互いに回動可能に連結されて、折畳自在である構成であってもよい。
【００２２】
このような構成の間仕切りパネルを居室に配置することで、前記音響面材配置システムを適用した居室を容易に構築することができ、居室における開口部や建具等による音響環境への影響を緩和した、適切な音響設計を可能にして高い音響効果を得ることができる。
【発明の効果】
【００２３】
上述のように構成される本発明の音響面材配置システムによれば、広い周波数帯域にわたって優れた音響特性を有する音響設計を効率よく容易に行うことができ、かつ意匠性も高めて施工することが可能になる。
【００２４】
また、本発明の壁面収納ユニットおよび間仕切りパネルによれば、前記音響面材配置システムを踏襲して、居室における高い音響効果を確保することができ、優れた意匠性および汎用性を有するものとすることができる。
【発明を実施するための最良の形態】
【００２５】
以下、本発明に係る音響面材配置システム、壁面収納ユニット、および間仕切りパネルを実施するための最良の形態について、図面を参照しつつ説明する。
【００２６】
＜音響面材配置システム＞
図１〜図３は本発明の音響面材配置システムを適用した居室例をそれぞれ示した平面図である。
【００２７】
本発明の音響面材配置システムでは、吸音性材料を含んで構成され吸音特性の高い吸音面３と、反射性材料を含んで構成され吸音特性の低い反射面４とが、居室１の壁面に沿って水平方向に交互に配置されている。
【００２８】
吸音面３は、例えば、矩形状に枠組みした木枠にグラスウール、ロックウール等の繊維質系吸音材を充填した基材に、少なくともその表面側（室内側外周面）をポリエステル繊維織物等の布地で被覆してパネル体としたものを用いることができる。木枠内に充填する吸音材には、前記繊維質系吸音材のほか、軟質ウレタンフォーム、アルミ発泡体、セラミック発泡体等の多孔質系吸音材であればどのような材質でも使用することができる。
【００２９】
また、反射面４としては、矩形状に成形した化粧木材、無垢材等の木質材、大理石等の石材、あるいはガラス材等の板状体、または矩形状に枠組みした木枠に断熱材を充填した基材表面を布地で被覆してパネル体としたものを用いることができる。
【００３０】
かかる吸音面３と反射面４とは、それぞれ居室１の壁面に沿って複数面ずつ備えられている。また、音の反射傾向を比較的高くして吸音傾向を抑える方が好ましい居室と、吸音傾向を高くする方が好ましい居室とで、居室１の壁面積に対する吸音面３の面積の割合を変化させた配置とされる。
【００３１】
すなわち、低音域では定在波を無くすとともに、やや反射性を高めに設定して適度な反射のある方がよく、打楽器等の楽器演奏や映画などをしっかりとした低音域でライブ感を楽しみたいという場合（ライブ）には、居室１における音の反射傾向を高くして、壁面積に対する吸音面３の面積を２０〜３０％の割合に配置する。より好ましくは、吸音面３の割合を２５％の面積比とすることである。
【００３２】
図１は、居室１の全体の壁面積に対して、吸音面３の割合を２５％程度となるように配置された例を示している。図中における上方に配置された開口部１１の両側部に、壁面２ａに沿って吸音面３が配置されている。ここで、開口部１１はガラス障子が嵌め込まれているので、反射面として作用する。
【００３３】
また、開口部１１のある壁面２ａに対向する出入口１２寄りの壁面２ｂには、吸音面３と反射面４とが壁面２ｂに沿って交互となるように、かつ壁面２ｂから約１０ｃｍ離間させて配置されている。この空間は空気層として作用し、吸音性および隣室との遮音性を高めている。
【００３４】
これにより、同図の居室１においては、開口部１１のある壁面２ａとこれに対向する壁面２ｂとで、吸音面３と反射面４とが交互に配置されており、かつ吸音面３同士および反射面４同士が互いに向かい合うことのないようにずれて配置されている。また、図中における左右の壁面２ｃには、吸音面３同士が、それぞれ向かい合わない位置となるように、水平方向にずらして２面ずつ配置されている。
【００３５】
このように吸音面３と反射面４とを配置することにより、居室１での音の反射傾向を比較的高くして吸音傾向を抑えることが可能になり、低音域に適した居室１を形成することができる。
【００３６】
一方、高音域では、生き生きした音が得られるとされるため、弦楽器や木管楽器等の楽器演奏、あるいは声楽など、クラシック系の音の拡がり感や良好な定位感を楽しみたいという場合（デッド）には、居室における吸音傾向を高くし、壁面積に対する吸音面３の面積を７０〜８０％の割合で配置する。より好ましくは、吸音面３の割合を７５％の面積比とすることである。
【００３７】
図２は、居室１の全体の壁面積に対して、吸音面３の割合を７５％程度となるように配置された例を示している。この居室１においても前記と同様に、開口部１１は反射面として作用するので、開口部１１の両側部の壁面２ａには、それぞれ吸音面３が配置されている。壁面２ａに対向する壁面２ｂには、両サイドに反射面４が配置され、中央部に吸音面３が配置されている。壁面２ｃには、吸音面３と反射面４とが交互に配置されている。出入口１２の扉は、反射面として作用するので、壁面２ｃの出入口１２に対向する位置には吸音面３が配置されている。
【００３８】
これにより、吸音面３の割合を７５％程度に確保し、かつ対向する壁面間で吸音面３同士および反射面４同士が向かい合うことのないような配置となっている。この結果、居室１における吸音傾向を高めて、高音域に適した居室１を形成することができる。
【００３９】
さらに、図２に例示した居室１では、これらの吸音面３と反射面４とを壁面２ａ、２ｂ、２ｃから、いずれも約１０ｃｍ離間させて、空気層を形成するように配置されている。これにより、外部の騒音を遮断し、居室１内の静けさを保つとともに、居室内で発生する音を外部に漏らさないように構成されている。
【００４０】
また、中間音域、すなわち金管楽器、ピアノ、あるいはエレクトーンなどの楽器演奏、またはオーディオ音などを楽しみたいという場合（ニュートラル）には、吸音面３の割合を５０％の面積比とすることが好ましい。
【００４１】
図３は、居室１の全体の壁面積に対して、吸音面３の割合を５０％程度となるように配置された例を示している。また、同図の例では、居室１は前室１３を備えている。この居室１においても、対向する壁面２ｄ、２ｄ間で吸音面３同士および反射面４同士が向かい合うことのないような配置とし、中間音域に適した居室１を形成している。
【００４２】
また、例示の形態において、吸音面３と反射面４とは、居室１の床面から天井面までの高さとほぼ同じ高さでそれぞれ形成されていることが望ましい。これにより、吸音面３と反射面４との表面仕上げの差異が室内にコントラストをもたらし、インテリア性を高めることも可能となる。
【００４３】
なお、以上のような音響面材配置システムを採用する居室１において、より効果的に音響計画を図ろうとすれば、天井面に関して、全面ロックウール吸音材等の吸音性天井仕上材を用いて仕上げることが望ましい。
【００４４】
＜壁面収納ユニット＞
前記音響面材配置システムを採用する居室において、吸音面と反射面とを交互に配置することに換えて、次のような壁面収納ユニット５を居室１に配置してもよい。
【００４５】
図４〜図６は本発明に係る壁面収納ユニットの一例を示し、図４は正面図、図５は縦断面図、図６は横断面図である。
【００４６】
壁面収納ユニット５は、床からほぼ天井までの高さを有しており、例示したものは２５００ｍｍの高さで形成されている。図示するように、収納部５１の前面には、吸音性材料を含んで形成された吸音特性の高い吸音扉５２と、反射性材料を含んで形成された吸音特性の低い反射扉５３とが互いに隣り合うように、水平方向に交互に配設されている。
【００４７】
これらの吸音扉５２および反射扉５３は、前記吸音面３および反射面４と同様の材質から構成されている。また、吸音扉５２と反射扉５３とは、壁面収納ユニット５の高さとほぼ同寸の高さを有して配置されるとともに、それぞれ等幅の扉体であり、吸音面と反射面とを均等な割合で構成している。すなわち、吸音扉５２と反射扉５３とが、壁面収納ユニット５の前面に対して５０％ずつの面積割合を占めるようになっている。
【００４８】
また、例示の形態では、吸音扉５２と反射扉５３とを一対の扉とし、三対の扉が収納部５１に開閉可能に取り付けられている。収納部５１の前面上部には上吊レール５４が設けられており、前面下部には下ガイドレール５５が設けられて、複数対の扉がそれぞれ折戸状に吊り下げられている。吸音扉５２および反射扉５３で覆われた収納部５１の内部は、棚や区画板によって複数に区画されており、多様な収納に対応できるようになっている。
【００４９】
このように構成される壁面収納ユニット５を居室に設けることで、前面の吸音扉５２と反射扉５３とが居室の音響環境に作用し、特に中高音域に適した居室を形成することができる。また、収納部５１が空気層として作用し、吸音力を低音域まで機能させることが可能となる。また、この空気層が遮音間仕切りとして作用することも期待できるので、より一層遮音性を高めて良好な音響効果を確保することが可能になる。
【００５０】
さらに、収納部５１を備えることで、居室に家具を別途配置したり、物を置いたりする必要がなくなって、壁面の音響特性を損なうことがなく、すっきりとしたインテリアを保って意匠性も高めることができる。
【００５１】
なお、例示した壁面収納ユニット５においては、吸音扉５２と反射扉５３とを等幅で形成して、両者が均等な割合となるように配置しているが、吸音扉５２と吸音扉５２とを組み合わせて一対の扉としたり、反射扉５３と反射扉５３とを組み合わせて一対の扉としたりして、居室に求められる音響特性に応じて吸音面と反射面との割合を調整してもよい。
【００５２】
また、吸音扉５２および反射扉５３を折戸状に取り付けるだけでなく、必要に応じて両開き式や片開き式としてもよい。
【００５３】
＜間仕切りパネル＞
また、前記音響面材配置システムを採用する居室において、吸音面と反射面とを交互に配置することに換えて、次のような間仕切りパネルを居室１に配置してもよい。
【００５４】
間仕切りパネルは、吸音性材料を含んで形成された吸音特性の高い吸音面と、反射性材料を含んで形成された吸音特性の低い反射面とが、それぞれ複数枚ずつ、水平方向に交互に配設されている。
【００５５】
そして、これらの隣り合う吸音面と反射面とは、互いに折曲されている。このとき、吸音面と反射面とが互いに回動可能に連結されて、折畳自在なものであって、展開したときの吸音面と反射面とのなす角度によって自立するように構成されてもよい。あるいは、吸音面と反射面とが自立する枠フレームに折曲状に取り付けられて、床面に設置できる構成であってもよい。
【００５６】
かかる間仕切りパネルは、居室１の壁面において吸音面や反射面を配設していない部分の前面に配置して、音響特性を調整するように利用することができる。例えば、居室１の開口部１１の前面に間仕切りパネルを配置すれば、開口部１１での音の反射特性を緩和させることができる。また、単に可動間仕切り（衝立）として居室１内の音響効果を保ちつつ空間を仕切るのに用いてもよい。
【００５７】
これにより、優れた意匠性および汎用性を有する間仕切りパネルとすることができ、居室１における好ましい音響環境を容易に形成することができる。
【産業上の利用可能性】
【００５８】
本発明は、音響効果を必要とするオーディオルームやリスニングルーム、楽器の練習室等の居室において、音響効果を高めるとともに、居室のインテリア性も高めて、音楽を存分に楽しめる空間形成に好適に利用することができる。
【図面の簡単な説明】
【００５９】
【図１】本発明に係る音響面材配置システムを適用した居室の一例を示す平面図である。
【図２】本発明に係る音響面材配置システムを適用した居室の他の例を示す平面図である。
【図３】本発明に係る音響面材配置システムを適用した居室の他の例を示す平面図である。
【図４】本発明に係る壁面収納ユニットの一例を示す正面図である。
【図５】前記壁面収納ユニットの縦断面図である。
【図６】前記壁面収納ユニットの横断面図である。
【符号の説明】
【００６０】
１    居室
１１  開口部
１２  出入口
１３  前室
２ａ，２ｂ，２ｃ，２ｄ  壁面
３    吸音面
４    反射面
５    壁面収納ユニット
５１  収納部
５２  吸音扉
５３  反射扉
【図１】
2007254960.tif 000003
【図２】
2007254960.tif 000004
【図３】
2007254960.tif 000005
【図４】
2007254960.tif 000006
【図５】
2007254960.tif 000007
【図６】
2007254960.tif 000008